(57)【要約】【課題】鉄道分岐器に対する設置が容易な電気融雪器取付具を提供する。【解決手段】長片２８、３０及び短片３２、３４を、鉄道分岐器のまくらぎとレールとの空間に挿入して、床板１６の四方側面を囲む。そして、長片２８、３０及び短片３２、３４同士をねじ４２によって固定して枠体２６を構成する。一対の長片２８、３０に一体に形成された、電気ヒータの格納筒３６、３８に格納される電気ヒータ２０が、確実に床板１６の長手方向両側面に固定されるので、電気融雪器の設置作業における現場での溶接作業を無くし、現場作業の簡易化、迅速化を図ることができる。【選択図】図１
2007154498.tif 000002
【特許請求の範囲】
【請求項１】
鉄道分岐器の、まくらぎとレールとの間に配置された床板の四方側面を囲む枠体を備え、該枠体は少なくとも２つ以上の分割片により構成され、かつ、分割片同士がねじによって固定され、床板の長手方向両側面に当接する前記枠体の一対の長片に、電気ヒータの格納筒が一体に形成されていることを特徴とする電気融雪器取付具。
【請求項２】
前記枠体の、前記一対の長片と前記一対の長片同士を連結する一対の短片とが、各片毎の分割構造を有していることを特徴とする請求項１記載の電気融雪器取付具。
【請求項３】
前記一対の長片の、前記電気ヒータの格納筒を構成する壁を貫通して該格納筒内部の電気ヒータに当接し、前記電気ヒータを格納筒の床板側内面に圧着するねじを備えることを特徴とする請求項１又は２記載の電気融雪器取付具。
【発明の詳細な説明】
【技術分野】
【０００１】
本発明は、鉄道分岐器の電気融雪器取付具に関するものである。
【背景技術】
【０００２】
従来から、降雪量の多い地域のみならず比較的温暖な地域においても、冬季における鉄道分岐器の凍結を防止するために、いわゆる融雪器が用いられている。又、近年では、保守整備の容易さから、電気ヒータを用いた電気融雪器が広く用いられている（例えば、特許文献１参照。）。
【０００３】
図４、図５には、鉄道分岐器１０に対する電気融雪器１２の取付構造の従来例が示されている。ここで、鉄道分岐器１０は、まくらぎ１４の上面に床板１６が固定され、床板１６の上面にレール１８が載置され、床板１６の上面を、可動レールであるトングレールが摺動する構造を有している。そして、電気融雪器１２は、床板１６を加熱することにより鉄道分岐器１０の凍結を防止するものが一般的である。図示の電気融雪器１２は、床板１６の長手方向両側面に、電気ヒータの格納筒２２を溶接し、格納筒２２に、図６に示されるシーズヒータ（金属チューブ内に発熱用抵抗線２２ａや絶縁粉末２２ｂを入れ発熱させるもの。）等の、細く長い電気ヒータ２０（図６参照）を挿入した構造となっている。なお、電気ヒータ２０に対する電力供給は、線路に沿って設けられた地上設備から行うことができる。
【０００４】
【特許文献１】実公平４−２３９２２号公報（第１頁、図３）
【発明の開示】
【発明が解決しようとする課題】
【０００５】
上記従来の電気融雪器１２は、簡単な構造でありながら、鉄道分岐器１０の凍結を確実に防ぐことが可能なものである。しかしながら、電気融雪器１２が未装着の既存の鉄道分岐器１０に対し電気融雪器１２を取り付ける場合には、鉄道分岐器１０の各設置現場において、電気ヒータ２０の格納筒２２の溶接作業を行う必要があり、以前から電気融雪器１２の設置作業の簡易化が望まれていたところである。
本発明は上記課題に鑑みてなされたものであり、その目的とするところは、鉄道分岐器に対する設置が容易な電気融雪器取付具を提供することにある。特に、電気融雪器が未装着の既存の鉄道分岐器に対し、電気融雪器を取り付ける際の作業性の向上を図ることを可能とするものである。
【課題を解決するための手段】
【０００６】
上記課題を解決するための、本発明に係る鉄道分岐器の電気融雪器取付具は、まくらぎとレールとの間に配置された床板の四方側面を囲む枠体を備え、該枠体は少なくとも２つ以上の分割片により構成され、かつ、分割片同士がねじによって固定され、床板の長手方向両側面に当接する前記枠体の一対の長片に、電気ヒータの格納筒が一体に形成されていることを特徴とするものである。
本発明によれば、少なくとも２つ以上の分割片により構成された枠体を、まくらぎとレールとの空間に挿入して、床板の四方側面を囲み、かつ、分割片同士をねじによって固定することにより、枠体の一対の長片に一体に形成された、電気ヒータの格納筒に格納される電気ヒータが、確実に床板の長手方向両側面に固定される。従って、電気融雪器の設置作業における現場での溶接作業を無くし、現場作業の簡易化、迅速化を図ることができる。
【０００７】
又、本発明においては、前記枠体の、前記一対の長片と前記一対の長片同士を連結する一対の短片とが、各片毎の分割構造を有していることとしても良い。
又、前記一対の長片の、前記電気ヒータの格納筒を構成する壁を貫通して該格納筒内部の電気ヒータに当接し、前記電気ヒータを格納筒の床板側内面に圧着するねじを備えることにより、電気ヒータの熱を、枠体の一対の長片を介して確実に床板に伝達し、床板を効率よく加熱するための、電気融雪器の設置作業を、容易かつ確実に行うことが可能となる。
【発明の効果】
【０００８】
本発明はこのように構成したので、鉄道分岐器に対する設置が容易な電気融雪器取付具を提供することが可能となる。特に、電気融雪器が未装着の既存の鉄道分岐器に対し電気融雪器を取り付ける際の作業性の向上を図ることが可能となる。
【発明を実施するための最良の形態】
【０００９】
以下、本発明を実施するための最良の形態を添付図面に基づいて説明する。ここで、従来技術と同一部分、若しくは相当する部分については、同一符号で示し、詳しい説明を省略する。
【００１０】
図１に示されるように、本発明の実施の形態に係る電気融雪器取付具２４は、床板１６の四方側面を囲む枠体２６を備えている。枠体２６は、一対の長片２８、３０と、一対の長片２８、３０同士を連結する一対の短片３２、３４とで構成されている。又、枠体２６は、各片２８、３０、３２、３４毎の分割構造を有している。長片２８、３０は対称形状を有しており、床板１６よりも若干長く（床板１６の全長に短片３２、３４の巾を加えた程度）構成されている。
【００１１】
図２に示されるように、長片２８、３０には、電気ヒータの格納筒３６、３８が一体に形成されている。図示の例では、断面Ｕ字状の長杆部材を矩形断面の長片２８、３０に溶接することによって、格納筒３６、３８が構成されている。又、格納筒３６、３８には、格納筒を構成する壁を貫通するねじ孔３６ａ、３８ａが形成されている。ねじ孔３６ａ、３８ａは、ねじ４０（図１参照）を格納筒内部の電気ヒータ２０（図６参照）に当接させて、電気ヒータ２０を格納筒３６、３８の床板側の内面（矩形断面の長片２８、３０の側面）に圧着するために設けられている。更に、長片２８、３０の両端部には、短片３２、３４を固定するためのねじ４２（図１参照）を挿通する貫通孔２８ａ、３０ａが形成されている。
【００１２】
図３に示されるように、短片３２は、矩形断面を有する杆材であり、両端部にはねじ４２（図１参照）が螺合するねじ孔３２ａが形成されている。一方、短片３４も矩形断面を有する杆材であり、両端部にはネジ４２が螺合するネジ３４ａが形成されている。更に、短片３４にはブラケット４４が固定されている。ブラケット４４には孔４４ａが形成されており、この孔４４ａに、ねじ４６（図１参照）を挿通してまくらぎ１４に固定することで、鉄道分岐器１０に対する枠体２６の位置決めを、より確実にするものである。
【００１３】
上記構成を有する本発明の実施の形態によれば、次のような作用効果を得ることが可能となる。まず、長片２８、３０及び短片３２、３４を、まくらぎ１４とレール１８（図４参照）との空間に挿入して、床板１６の四方側面を囲み、かつ、長片２８、３０及び短片３２、３４同士をねじ４２によって固定して枠体２６を構成することにより、一対の長片２８、３０に一体に形成された、電気ヒータの格納筒３６、３８に格納される電気ヒータ２０が、確実に床板１６の長手方向両側面に固定される。従って、電気融雪器の設置作業における現場での溶接作業を無くし、現場作業の簡易化、迅速化を図ることができる。
【００１４】
又、一対の長片２８、３０の、電気ヒータの格納筒３６、３８を構成する壁を貫通して格納筒内部の電気ヒータ２０に当接し、電気ヒータ２０を格納筒３６、３８の床板側内面に圧着するねじ４０を備えることにより、床板１６を効率よく加熱するための、電気融雪器の設置作業（電気ヒータ２０の位置決め作業）を、容易に行うことが可能となる。
【００１５】
なお、本発明の実施の形態では、枠体２６が長片２８、３０及び短片３２、３４の各分割片によって構成されているが、これによって、長片又は短片を長さの異なるものに交換することで、寸法の異なる床板１６にも対応可能な電気融雪器取付具２４とすることが可能となる。一方、ねじ止め作業の工数を少なくするため、例えば長片２８と短片３２、長片３０と短片３４とを予め一体に溶接しておくこととしても良く、又、長片２８、３０及び短片３２（又は短片３４）を予め一体に溶接し、短片３４（又は短片３２）のみを分割片としても良い。これらの各分割例は、電気融雪器の設置作業における現場での作業性を考慮して、適宜選択することが望ましい。
又、本発明の実施の形態では、枠体２６の長片２８、３０にのみ電気ヒータの格納筒３６、３８を設けた場合を例示して説明したが、短片３２、３４にも同様の格納筒を設けて、４片の全てに電気ヒータを装着し、床板１６の四方側面を加熱することとしても良い。更に、レイアウト上の制約等を受けるような場合には、短片３２、３４にのみ電気ヒータの格納筒を設け、床板１６の短片のみ加熱することとしても良い。
【図面の簡単な説明】
【００１６】
【図１】本発明の実施の形態に係る鉄道分岐器の電気融雪器取付具を示すものであり、（ａ）は平面図、（ｂ）は正面図、（ｃ）は（ａ）のＡ−Ａ線における断面図である。
【図２】図１に示す電気融雪器取付具の長片の単体図であり、（ａ）は側面図、（ｂ）は平面図、（ｃ）は（ａ）のＢ−Ｂ線における拡大断面図である。
【図３】図１に示す電気融雪器取付具の短片の単体図であり、（ａ）は一方の短片の正面図、（ｂ）は一方の短片の側面図、（ｃ）は他方の短片の正面図、（ｄ）は他方の短片の側面図である。
【図４】従来の鉄道分岐器の電気融雪器の斜視図である。
【図５】図４の電気融雪器を示すものであり、（ａ）は平面図、（ｂ）は正面図である。
【図６】図４の電気融雪器に用いられる電気ヒータの単体図であり、（ａ）は平面図、（ｂ）は部分的に断面で示した正面図である。
【符号の説明】
【００１７】
１０：鉄道分岐器、１４：まくらぎ、１６：床板、１８：レール、２０：電気ヒータ、２２：格納筒、２４：電気融雪器取付具、２６：枠体、  ２８、３０：長片、  ２８ａ、３０ａ：貫通孔、  ３２、３４：短片、  ３６、３８：格納筒、  ４０、４２、４６：ねじ
【図１】
2007154498.tif 000003
【図２】
2007154498.tif 000004
【図３】
2007154498.tif 000005
【図４】
2007154498.tif 000006
【図５】
2007154498.tif 000007
【図６】
2007154498.tif 000008